(57)【要約】  【課題】  排気フィルターの除塵を容易に行え、吸塵力を維持することができる電気掃除機を提供することである。  【解決手段】  電気掃除機は、電動送風機２と、電動送風機２の駆動により吸込んだ塵を溜める集塵部３と、電動送風機の外周を覆う円筒形状の排気フィルター９と、排気フィルター９の除塵を行う除塵部材１０と、排気フィルター９から落とされた塵を受ける塵受け部１１と、電動送風機２、集塵部３、排気フィルター９、除塵部材１０、及び塵受け部１１を覆い、塵受け部１１と外部とを連通する開口部１ａを有する本体１と、開口部１ａを閉じる蓋１２とを備え、除塵部材１０は電動送風機２と排気フィルター９との間に設けられ、且つ排気フィルター９と略同心円状の輪形部１０ａと、輪形部１０ａから突出し端部が排気フィルター９に接触するＬ字型の鉤形部１０ｂとからなるものである。【選択図】      図１
2006149586.tif 000002
【特許請求の範囲】
【請求項１】
電動送風機と、該電動送風機の駆動により吸込んだ塵を溜める集塵部と、少なくとも前記電動送風機の排気側に設けられた排気フィルターと、該排気フィルターの除塵を行う除塵部材と、前記排気フィルターから落とされた塵を受ける塵受け部と、前記電動送風機、前記集塵部、前記排気フィルター、前記除塵部材、及び前記塵受け部を覆い、前記塵受け部と外部とを連通する開口部を有する本体と、前記開口部を閉じる蓋と、を備えた電気掃除機。
【請求項２】
前記排気フィルターは前記電動送風機の外周を覆う円筒形状であり、前記除塵部材は前記電動送風機と前記排気フィルターとの間に設けられ、且つ前記排気フィルターと略同心円状の輪形部と、該輪形部から突出し端部が前記排気フィルターに接触するＬ字型の鉤形部とからなることを特徴とする請求項１記載の電気掃除機。
【請求項３】
前記排気フィルターはその円筒形状を横に倒した状態に設けられることを特徴とする請求項２記載の電気掃除機。
【請求項４】
前記塵受け部は前記排気フィルターの円筒形状の端面に対して略平行に設けられることを特徴とする請求項２又は３記載の電気掃除機。
【請求項５】
前記輪形部に外部から操作される突出部を設けることを特徴とする請求項２〜４の何れかに記載の電気掃除機。
【請求項６】
前記突出部は前記本体の開口部と重なる位置に設けられ、前記突出部の操作により前記除塵部材が回転駆動することを特徴とする請求項５記載の電気掃除機。
【請求項７】
前記蓋が前記除塵部材と一体であることを特徴とする請求項１〜６の何れかに記載の電気掃除機。
【請求項８】
前記除塵部材の蓋部分の外側に突起を形成したことを特徴とする請求項７記載の電気掃除機。
【請求項９】
前記電動送風機と前記塵受け部とを連結したことを特徴とする請求項１〜８の何れかに記載の電気掃除機。
【発明の詳細な説明】
【技術分野】
【０００１】
電気掃除機の排気フィルターの除塵構造に関するものである。
【背景技術】
【０００２】
従来の電気掃除機の例として、特許文献１や図６及び図７に示すものが挙げられる。例えば、特許文献１には、通気性のフィルターケースを設けて、吸塵室の接続口とフィルターケースとの間に補助フィルターを配置した電気掃除機が開示されている。
【０００３】
また図６は、従来の電気掃除機の概略側面図である。図中の破線は掃除機本体２０の内部構造を示している。この電気掃除機は、掃除機本体２０に電動送風機２が内蔵されており、電動送風機２の吸込側に集塵部３が配される。集塵部３にはホース組品６の一端が接続される。ホース組品６の他端には、延長管５の一端が接続される。延長管５の他端には床用吸込口４が接続される。図７は、図６の電動送風機２周辺の断面図である。電動送風機２の排気側には排気フィルター９が備えられる。この排気フィルター９は電動送風機２の周囲を囲む円筒型である。従って、電動送風機２からの排気は全て排気フィルター９を通過することになる。排気フィルター９を通過した排気は本体排気口（不図示）から外部に排出される。
【特許文献１】特公平６−２１１５号公報
【発明の開示】
【発明が解決しようとする課題】
【０００４】
これら従来の電気掃除機の構成によると、集塵部３（特許文献１においては吸塵室）に設けられた集塵袋７（特許文献１においてはフィルター）をすり抜けた微細塵は排気フィルター９（特許文献１においては補助フィルター）で捕獲される。ここで、集塵袋７（特許文献１においては補助フィルター）は頻繁に取り替える必要があるため、容易に脱着可能に配されている。しかしながら、上記従来の電気掃除機には、排気フィルター９（特許文献１においては補助フィルター）に蓄積した微細塵を除塵する機構はない。排気フィルター９（特許文献１においては補助フィルター）を脱着するには掃除機本体２０を分解しなければならない。従って、排気フィルター９（特許文献１においては補助フィルター）のメンテナンスは日常的には行うことができない。その結果、排気フィルター９の目詰まりにより、徐々に電気掃除機の吸塵力が落ちる。更に、電動送風機２にも負荷が掛かり温度上昇による寿命低下も生じる。
【０００５】
本発明は、排気フィルターの除塵を容易に行え、吸塵力を維持することができる電気掃除機を提供することを目的とする。
【課題を解決するための手段】
【０００６】
上記目的を達成するために本発明の電気掃除機は、排気フィルターの除塵を行う除塵部材と、排気フィルターから落とされた塵を受ける塵受け部と、塵受け部と外部とを連通する開口部を有する本体と、開口部を閉じる蓋とを備えたものである。
【０００７】
この構成によると、ユーザにより除塵部材が操作されると、除塵部材が排気フィルターを除塵する。そして、除塵により落とされた微細塵は一旦塵受け部に溜まり、開口部から排出される。このように、排気フィルターの除塵を容易に行え、電気掃除機の吸塵力を維持することができる。
【０００８】
上記の電気掃除機において、排気フィルターは電動送風機の外周を覆う円筒形状であり、除塵部材は電動送風機と排気フィルターとの間に設けられ、且つ排気フィルターと略同心円状の輪形部と、該輪形部から突出し端部が排気フィルターに接触するＬ字型の鉤形部とからなる構成とすることができる。
【０００９】
この構成によると、ユーザにより除塵部材が操作されると、鉤形部が排気フィルターを振動させ、排気フィルターの除塵ができる。このように、簡単な構成で除塵部材を形成することができる。
【００１０】
なお、排気フィルターはその円筒形状を横に倒した状態に設けることができる。これは一般的な横置きの電動送風機を備えたキャ二スター型の掃除機の構成である。
【００１１】
また、塵受け部は排気フィルターの円筒形状の端面に対して略平行に設けることにより、排気フィルターから落下した微細塵を溜めることができる。
【００１２】
また、輪形部に外部から操作される突出部を設けることにより、ユーザは突出部を持って容易に除塵部材を操作できる。
【００１３】
また、突出部を本体の開口部と重なる位置に設けることにより、突出部の操作により除塵部材を回転駆動することができる。除塵部材が回転することにより除塵の効率が向上する。
【００１４】
また、開口部の蓋は除塵部材と一体であることが好ましい。この構成により、部品点数が減りコスト削減と構造の簡素化を実現できる。
【００１５】
また、除塵部材の蓋部分の外側に突起を形成することが好ましい。これにより、ユーザは突起を持って除塵部材を操作できる。
【００１６】
また、電動送風機と塵受け部とを連結すると、電動送風機が塵受け部でも支持されることになり、電動送風機が強固に固定され、品質信頼性が向上する。
【発明の効果】
【００１７】
本発明によると、外部からユーザにより除塵部材が操作されると、除塵部材が排気フィルターの除塵を行い、除塵により落とされた微細塵は塵受け部に溜まった後、開口部から排出されるので、排気フィルターの除塵を容易に行え、電気掃除機の吸塵力を維持することができる。更に、電動送風機の負荷も軽減され、温度上昇による寿命低下も防止できる。
【発明を実施するための最良の形態】
【００１８】
本発明の電気掃除機の外観は図６の従来例とほぼ同じであるので説明を省略する。図１は、本発明の第１の実施形態の電気掃除機の電動送風機周辺の断面図である。掃除機本体１には、電動送風機２と、排気フィルター９と、除塵部材１０と、塵受け部１１とが内蔵されている。
【００１９】
電動送風機２は、略円柱状であり、掃除機本体１の後部に横置きに配される。この電動送風機２の駆動により、床用吸込口４から吸込まれた空気は、延長管５、ホース組品６、集塵部３（集塵袋７を含む）、電動送風機２、排気フィルター９、本体排気口（不図示）を通過して外部に排気される。
【００２０】
排気フィルター９は、円筒型であり、電動送風機２の周囲を囲むように、円筒形状を横に倒した状態に設けられる。つまり、電気掃除機に吸い込まれた空気は全て排気フィルター９を通過してから外部に排気される。この排気フィルター９は、集塵袋７で捕獲されなかった微細塵を捕獲する。
【００２１】
除塵部材１０は、排気フィルター９の除塵を行うものである。そして、除塵部材１０は電動送風機２と排気フィルター９との間に設けられる。図２に除塵部材１０の平面図を示す。この除塵部材１０は、排気フィルター９と略同心円状でドーナツ板状の輪形部１０ａと、輪形部１０ａから上方に突出し端部が排気フィルター９に接触するＬ字型で棒状の鉤形部１０ｂ（図２では４つ）と、輪形部１０ａから突出し外部からユーザにより操作される突出部１０ｃとからなる。
【００２２】
塵受け部１１は、排気フィルター９から落とされた塵を受ける部分である。塵受け部１１は電動送風機２の後方の掃除機本体１に板状の壁として形成される。また、塵受け部１１は排気フィルター９の円筒形状の端面に対して略平行に設けられる。この塵受け部１１を設けることにより、塵受け部１１と除塵部材１０の間に塵を搬送する空間１３ができる。
【００２３】
この空間１３の底面、つまり掃除機本体１の底面には、塵受け部１１と外部とを連通する開口部１ａが形成されている。これにより、排気フィルター９と外部とが連通する。この開口部１ａには蓋１２が設けられており、通常、開口部１ａは閉じられている。そして、開口部１ａと重なる位置に除塵部材１０の突出部１０ｃが配されている。この構成により、ユーザは蓋１２を開けて開口部１ａを通じて外部から突出部１０ｃを持って除塵部材１０を回転駆動させることができる。
【００２４】
なお、蓋１２の形状には特に限定はなく、開閉可能であればよい。開閉機構としては、例えば、スライド機構やヒンジ機構を用いることができ、また脱着可能な蓋を用いてもよい。
【００２５】
排気フィルター９を除塵するには、掃除機本体１を集塵部３が上、電動送風機２が下になるように立て、蓋１２を開け、突出部１０ｃを持って除塵部材１０を回転駆動させる。そうすると、鉤形部１０ｂが排気フィルター９を振動させるので、排気フィルター９の微細塵が落下し、輪形部１０ａを抜けて塵受け部１１に溜まる。その後、掃除機本体１を９０°倒して開口部１ａを下、つまり通常使用状態にすると、塵受け部１１上に溜まっていた微細塵が落下し、開口部１ａを通じて外部に排出される。微細塵は図１の矢印Ａの経路で排出される。このように、簡単な操作で排気フィルター９を除塵でき、電気掃除機の吸塵力を維持することができる。
【００２６】
図３は、第２の実施形態の電気掃除機の電動送風機２周辺の断面図である。第２の実施形態の電気掃除機は、第１の実施形態の電気掃除機において、補助柱１４を設けたものである。その他の構成は上記の電気掃除機と同様である。
【００２７】
通常、電動送風機２の後方部分２ａは、図１に示すように、固定防振ゴム１５を介して電気掃除機本体１に形成された支持部１６で支持されている。電動送風機２は重いので落下等の衝撃が加われば支持部１６に多大な負荷が掛かり破損する可能性がある。これに対して第２の実施形態の電気掃除機では、図３に示すように、支持部１６と塵受け部１１とが補助柱１４で連結されている。これにより、電動送風機２が塵受け部１１でも支持されることになり、電動送風機２が強固に固定され、品質信頼性が向上する。
【００２８】
なお、補助柱１４は、図３では効率良く補助するために電動送風機２の回転軸と同軸に設けられているが、他の箇所に設けてもよく、また複数本設けてもよい。
【００２９】
図４は、第３の実施形態の電気掃除機の電動送風機２周辺の断面図である。第３の実施形態の電気掃除機は、第１の実施形態の電気掃除機において、蓋１２と除塵部材１０とを一体に形成、好ましくは一体成形したものである。その他の構成は第１の実施形態の電気掃除機と同様である。
【００３０】
図１の除塵部材１０の突出部１０ｃと蓋１２とを一体に、断面Ｌ字型に形成することで、図４に示すような除塵部材１０’が得られる。この除塵部材１０’は開口部１ａの蓋も兼ね、ユーザは蓋部分を操作することで除塵部材１０’を回転させることもできる。この構成により、部品点数が減りコスト削減と構造の簡素化を実現できる。
【００３１】
なお、除塵部材１０’の蓋部分の形状には特に限定はなく、開口部１ａを蓋し、取手となる形状であればよい。
【００３２】
図５は、第４の実施形態の電気掃除機の電動送風機２周辺の断面図である。第４の実施形態の電気掃除機は、第３の実施形態の電気掃除機において、除塵部材１０’の蓋部分の外側に突起１０ｄを形成したものである。その他の構成は第３の実施形態の電気掃除機と同様である。
【００３３】
この突起１０ｄは蓋の開閉時や除塵部材１０”の回転時にユーザが操作する取手となる。なお、突起１０ｄの形状には特に限定はなく、例えば、この突起１０ｄを図５に示すように掃除機本体１の底面よりも内側に形成すると、掃除機本体１の走行時でも床等に引っ掛かることがない。
【産業上の利用可能性】
【００３４】
本発明の電気掃除機は、横置きの電動送風機を備えたキャ二スター型の掃除機をはじめ、集塵袋を用いた方式やサイクロン方式等、排気フィルターを有する様々な機構の電気掃除機に利用することができる。
【図面の簡単な説明】
【００３５】
【図１】は、本発明の第１の実施形態の電気掃除機の電動送風機周辺の断面図である。
【図２】は、図１の除塵部材の平面図である。
【図３】は、本発明の第２の実施形態の電気掃除機の電動送風機周辺の断面図である。
【図４】は、本発明の第３の実施形態の電気掃除機の電動送風機周辺の断面図である。
【図５】は、本発明の第４の実施形態の電気掃除機の電動送風機周辺の断面図である。
【図６】は、従来の電気掃除機の概略側面図である。
【図７】は、図６の電動送風機周辺の断面図である。
【符号の説明】
【００３６】
１、２０    掃除機本体
１ａ    開口部
２    電動送風機
３    集塵部
９    排気フィルター
１０、１０’、１０”    除塵部材
１０ａ    輪形部
１０ｂ    鉤形部
１０ｃ    突出部
１０ｄ    突起
１１    塵受け部
１２    蓋
１４    補助柱
【図１】
2006149586.tif 000003
【図２】
2006149586.tif 000004
【図３】
2006149586.tif 000005
【図４】
2006149586.tif 000006
【図５】
2006149586.tif 000007
【図６】
2006149586.tif 000008
【図７】
2006149586.tif 000009